(57)【要約】【課題】ロック手段をロック位置と非ロック位置との間で動作させる過程で遊技機の前扉と干渉してしまうのを確実に回避することができる島設備の台間装置を提供する。【解決手段】島設備Ｓにおけるパチンコ遊技機の側方近傍に設置可能とされた装置本体２と、パチンコ遊技機の前扉を固定枠に対して開放するのを規制するロック位置と当該前扉を固定枠に対して開放するのを許容する非ロック位置との間で移動可能なロック手段１３とを具備するとともに、当該ロック手段１３は、装置本体２の前後方向に亘って略直線状に形成された摺動レール１９と、摺動レール１９に沿って摺動して前進又は後退可能とされた可動部材２０と、可動部材２０の先端に形成され、当該可動部材２０が後退した状態でロック位置とされるとともに前進した状態で非ロック位置とされるロック部材１３ａとを備えたものである。【選択図】図２
2011092386.tif 000002
【特許請求の範囲】
【請求項１】
島設備の隣接する遊技機間に設置される島設備の台間装置において、
前記島設備における遊技機の側方近傍に設置可能とされた装置本体と、
前記装置本体に配設されるとともに、前記遊技機の前扉を固定枠に対して開放するのを規制するロック位置と当該前扉を固定枠に対して開放するのを許容する非ロック位置との間で移動可能なロック手段と、
を具備するとともに、当該ロック手段は、
前記装置本体の前後方向に亘って略直線状に形成された摺動レールと、
該摺動レールに沿って摺動して前進又は後退可能とされた可動部材と、
該可動部材の先端に形成され、当該可動部材が後退した状態でロック位置とされるとともに前進した状態で非ロック位置とされるロック部材と、
を備えたことを特徴とする島設備の台間装置。
【請求項２】
前記可動部材には、前記摺動レールに対して当接しつつ転動自在とされた転動部材が配設され、当該可動部材の摺動に伴って当該転動部材が転動するよう構成されたことを特徴とする請求項１記載の島設備の台間装置。
【請求項３】
前記ロック部材は、非ロック位置にあるとき前記可動部材に対して揺動自在とされるとともに、ロック位置にあるとき当該揺動が規制されて成ることを特徴とする請求項１又は請求項２記載の島設備の台間装置。
【請求項４】
前記可動部材及びロック部材をロック位置から非ロック位置に向かって常時付勢する付勢手段と、
前記可動部材に係止可能とされ、当該可動部材及びロック部材をロック位置で保持し得る係止部材と、
前記係止部材の前記可動部材に対する係止を解除し得る解除手段と、
を具備したことを特徴とする請求項１〜３の何れか１つに記載の島設備の台間装置。
【発明の詳細な説明】
【技術分野】
【０００１】
本発明は、島設備の隣接する遊技機間に設置される島設備の台間装置に関するものである。
【背景技術】
【０００２】
通常、パチンコ店内に設置された島設備には、複数の遊技機（パチンコ遊技機やスロットマシン等）が並設されており、その隣接する遊技機間には台間装置が設置されている。然るに、遊技者の煙草の煙等が隣接した遊技機の遊技者に至ってしまうのを抑制すべく、従来より、前方に送風するファン等を設け、当該ファン等を駆動させることによりエアカーテンを形成可能な台間装置が提案されるに至っている。
【０００３】
例えば、特許文献１で開示されているように、台間装置内にファン等の送風機を配設するとともに、装置本体の前面側に空気の吸入口及び吐出口がそれぞれ形成され、当該送風機を駆動させることにより前方（遊技者側）に向かって吐出口から送風してエアカーテンを形成し得るようになっていた。かかるエアカーテンにより、隣の遊技機まで煙草の煙等が至ってしまうのを抑制することができる。
【０００４】
一方、従来より、パチンコ機等の遊技機において、前扉の不正開放を防止する装置としては、例えば特許文献２が提案されている。この不正開放防止装置は、閉塞位置（ロック位置）と開放位置（非ロック位置）とに変位可能な平板状のストッパ片と、ソレノイドや固定ピン等を有する固定手段と、ソレノイドを駆動させる制御部等を備えている。そして、リモコン操作により制御部を介してソレノイドを駆動させて、ストッパ片を非ロック位置からロック位置に設定することにより、遊技機の前扉の不正開放を防止するようにしたものである。
【先行技術文献】
【特許文献】
【０００５】
【特許文献１】特開平１０−１１８３２７号公報
【特許文献２】特開２００８−２７２０００号公報
【発明の概要】
【発明が解決しようとする課題】
【０００６】
しかしながら、上記従来技術においては、ストッパ片をロック位置から非ロック位置に移動させる際、当該ストッパ片を回動動作させる必要があるため、回動動作の過程でパチンコ遊技機の前扉における構成要素に干渉してしまう虞があった。特に、近時においては、パチンコ遊技機の前扉を種々の形状に模した凹凸形状としたものが多く提供されるに至っているが、当該前扉が如何なる形状であってもストッパ片が干渉しないよう設定するのは困難となっている。
【０００７】
本発明は、このような事情に鑑みてなされたもので、ロック手段をロック位置と非ロック位置との間で動作させる過程で遊技機の前扉と干渉してしまうのを確実に回避することができる島設備の台間装置を提供することにある。
【課題を解決するための手段】
【０００８】
請求項１記載の発明は、島設備の隣接する遊技機間に設置される島設備の台間装置において、前記島設備における遊技機の側方近傍に設置可能とされた装置本体と、前記装置本体に配設されるとともに、前記遊技機の前扉を固定枠に対して開放するのを規制するロック位置と当該前扉を固定枠に対して開放するのを許容する非ロック位置との間で移動可能なロック手段とを具備するとともに、当該ロック手段は、前記装置本体の前後方向に亘って略直線状に形成された摺動レールと、該摺動レールに沿って摺動して前進又は後退可能とされた可動部材と、該可動部材の先端に形成され、当該可動部材が後退した状態でロック位置とされるとともに前進した状態で非ロック位置とされるロック部材とを備えたことを特徴とする。
【０００９】
請求項２記載の発明は、請求項１記載の島設備の台間装置において、前記可動部材には、前記摺動レールに対して当接しつつ転動自在とされた転動部材が配設され、当該可動部材の摺動に伴って当該転動部材が転動するよう構成されたことを特徴とする。
【００１０】
請求項３記載の発明は、請求項１又は請求項２記載の島設備の台間装置において、前記ロック部材は、非ロック位置にあるとき前記可動部材に対して揺動自在とされるとともに、ロック位置にあるとき当該揺動が規制されて成ることを特徴とする。
【００１１】
請求項４記載の発明は、請求項１〜３の何れか１つに記載の島設備の台間装置において、前記可動部材及びロック部材をロック位置から非ロック位置に向かって常時付勢する付勢手段と、前記可動部材に係止可能とされ、当該可動部材及びロック部材をロック位置で保持し得る係止部材と、前記係止部材の前記可動部材に対する係止を解除し得る解除手段とを具備したことを特徴とする。
【発明の効果】
【００１２】
請求項１の発明によれば、ロック手段は、装置本体の前後方向に亘って略直線状に形成された摺動レールと、該摺動レールに沿って摺動して前進又は後退可能とされた可動部材と、該可動部材の先端に形成され、当該可動部材が後退した状態でロック位置とされるとともに前進した状態で非ロック位置とされるロック部材とを備えたので、ロック部材をロック位置と非ロック位置との間で動作させる過程で遊技機の前扉と干渉してしまうのを確実に回避することができる。
【００１３】
請求項２の発明によれば、可動部材には、摺動レールに対して当接しつつ転動自在とされた転動部材が配設され、当該可動部材の摺動に伴って当該転動部材が転動するよう構成されたので、可動部材の摺動を滑らか且つスムーズに行わせることができる。
【００１４】
請求項３の発明によれば、ロック部材は、非ロック位置にあるとき可動部材に対して揺動自在とされるとともに、ロック位置にあるとき当該揺動が規制されて成るので、非ロック位置にあるロック部材を揺動させて遊技機の前扉を開放させ易くすることができる一方、ロック位置にあるロック部材の揺動を規制して当該前扉のロックを確実に行わせることができる。
【００１５】
請求項４の発明によれば、可動部材及びロック部材をロック位置から非ロック位置に向かって常時付勢する付勢手段と、可動部材に係止可能とされ、当該可動部材及びロック部材をロック位置で保持し得る係止部材と、係止部材の可動部材に対する係止を解除し得る解除手段とを具備したので、解除手段によって可動部材に対する係止を解除すればロック位置にある可動部材及びロック部材が付勢手段の付勢力にて非ロック位置まで自動的に移動することとなり、ロック解除時の作業性を向上させることができる。
【図面の簡単な説明】
【００１６】
【図１】本発明の実施形態に係る島設備の台間装置を示す正面図
【図２】同台間装置の内部構成を示す側面図
【図３】同台間装置を示す背面図
【図４】同台間装置におけるロック手段（摺動前）の詳細を示す側面図
【図５】同台間装置におけるロック手段（摺動前）の詳細を示す断面図
【図６】同台間装置におけるロック手段（摺動後）の詳細を示す側面図
【図７】同台間装置におけるロック手段（摺動後）の詳細を示す断面図
【図８】同台間装置におけるロック手段のロック部材を示す拡大図
【図９】同台間装置が適用されるパチンコ遊技機を示す正面図
【図１０】同台間装置が適用されるパチンコ遊技機を示す側面図
【図１１】同台間装置が設置される島設備全体を示す模式図
【発明を実施するための形態】
【００１７】
以下、本発明の実施形態について図面を参照しながら具体的に説明する。
本実施形態に係る島設備の台間装置は、図１１に示すように、パチンコ遊技店における島設備Ｓの隣接するパチンコ遊技機Ｐ間に設置され、前方（同図中手前側）に向かって送風することによりエアカーテンを形成可能なものであり、図１〜３に示すように、装置本体２と、ファン部材３と、モータ４と、吸入口５と、吐出口６と、案内部材１２と、ロック手段１３と、制御基板１４と、収容部２２とを有して構成されている。
【００１８】
パチンコ遊技機Ｐは、図９、１０に示すように、島設備Ｓに固定される固定枠Ｐｂと、固定枠Ｐｂに対して開閉自在とされた前扉Ｐａとを有しており、前扉Ｐａには、ガラス枠と遊技盤取付枠（内枠）とが形成されている。然るに、右側縁部に形成された鍵穴に鍵を差し込みつつ所定方向に回転させることにより、前扉Ｐａを固定枠Ｐｂに対して開放し得るようになっている。尚、同図中符号Ｐｃは、前扉Ｐａを固定枠Ｐｂに対して開閉可能とするヒンジを示している。
【００１９】
装置本体２は、台間装置１の筐体を成すもので全体として上下に細長い箱型形状とされており、島設備Ｓにおけるパチンコ遊技機Ｐの側方近傍に設置可能とされるとともに内部に種々構成要素が収容されている。かかる装置本体２は、上下寸法がパチンコ遊技機Ｐの高さ寸法と略同一とされており、その前面２ａを島設備Ｓの前方に臨ませつつ背面２ｂ及び側面（上面及び下面も同様）を島設備Ｓ内に臨ませて固定されるようになっている。尚、図中符号２２は、パチンコ遊技機Ｐの遊技内容に関する説明が記載された説明書を収容可能な収容部を示しており、符号２２ａは、収容した説明書を係止するための係止手段を示している。また、符号２ｃは、収容部２２に説明書を挿入するための挿入口を示している。
【００２０】
ここで、本実施形態に係る装置本体２には、その側方近傍のパチンコ遊技機Ｐにおける前扉Ｐａの開放を規制するロック手段１３が配設されている。かかるロック手段１３は、図２及び図４〜８に示すように、装置本体２の前後方向に亘って略直線状に固定された摺動レール１９と、該摺動レール１９に沿って摺動して前進又は後退可能とされた可動部材２０と、該可動部材２０の先端に形成されたロック部材１３ａと、可動部材２０及びロック部材１３ａをロック位置から非ロック位置に向かって前進側に付勢するスプリングｓ（付勢手段）と、可動部材２０を所定位置で係止させる係止部材１５と、該係止部材１５を動作させるソレノイド２３（解除手段）とから主に構成されている。
【００２１】
可動部材２０には、その長手方向に亘って複数（本実施形態においては４つ）の転動部材２１が形成されている。かかる転動部材２１は、それぞれが摺動レール１９に対して当接しつつ軸Ｌ２を中心に転動自在に配設されており、可動部材２０の摺動に伴って転動することにより、当該可動部材２０の摺動を滑らか且つスムーズに行わせ得るよう構成されている。ロック部材１３ａは、フック状に形成された例えば樹脂成形品から成るもので、図１０に示すように、可動部材２０が後退した状態でロック位置（α）とされるとともに前進した状態で非ロック位置（β）とされるようになっている。
【００２２】
更に、ロック部材１３ａは、図８に示すように、非ロック位置（β）にあるとき可動部材２０の先端に形成された軸Ｌ１を中心として当該可動部材２０に対して揺動自在（フリーな状態）とされているとともに、ロック位置（α）にあるとき軸Ｌ１を中心とした当該揺動が規制されるよう構成されている。即ち、図５に示すように、可動部材２０が後退した状態とされてロック部材１３ａがロック位置（α）にあるとき、当該ロック部材１３ａの周囲をカバー部材１８が覆うよう構成されており、当該カバー部材１８の開口縁部１８ａによりロック部材１３ａの揺動が規制されているのである。また、ロック部材１３ａがロック位置（α）にあるとき、当該ロック部材１３ａの背面がストッパＴのストッパ面Ｔａと当接又は近接した状態となっており、これによってもロック部材１３ａの揺動が規制されている。
【００２３】
これにより、非ロック位置（β）にあるロック部材１３ａを揺動させてパチンコ遊技機Ｐの前扉Ｐａを開放させ易くすることができる一方、ロック位置（α）にあるロック部材１３ａの揺動を規制して当該前扉Ｐａのロック（開放の規制）を確実に行わせることができる。また、可動部材２０が前進して非ロック位置（β）にあるとき、ロック部材１３ａに対して作業者等が干渉してしまったとしても、当該ロック部材１３ａが揺動自在となっているので、過度に荷重が付与されるのを抑制でき、破損等を回避することができる。
【００２４】
係止部材１５は、揺動軸１５ｂを中心に揺動自在とされるとともに、スプリング（不図示）によって常時上方へ付勢されており、その先端には可動部材２０の外周面に形成された凹凸形状の被係止部２０ａに対して係止可能な爪部１５ａが形成されている。而して、爪部１５ａが被係止部２０ａに係止することにより可動部材２０を係止することができ、図２、５で示す如く、ロック部材１３ａを後退側（即ち、ロック位置（α））で保持させることができる。この状態においては、その側方近傍のパチンコ遊技機Ｐにおける前扉Ｐａ（前面枠及びガラス枠）の前方近傍にロック部材１３ａが位置することとなり、当該前扉Ｐａの開放を規制し得るようになっている。
【００２５】
解除手段としてのソレノイド２３は、その作動軸２３ａが係止部材１５と連結されており、当該ソレノイド２３に通電して作動軸２３ａを作動させることにより、係止部材１５をスプリング（不図示）の付勢力に抗して揺動させ得るよう構成されている。これにより、爪部１５ａが被係止部２０から離間して係止が解かれることとなり、可動部材２０がスプリングｓの付勢力で前進側に摺動するので、図１０に示すように、ロック部材１３ａをロック位置（α）から非ロック位置（β）に略直線状に移動させ得るようになっている。
【００２６】
而して、可動部材２０が前進側に摺動すると、ロック部材１３ａがパチンコ遊技機Ｐにおける前扉Ｐａから更に前方に遠ざかり、当該前扉Ｐａの開放を許容し得ることとなる。このように、ソレノイド２３（解除手段）によって可動部材２０に対する係止を解除すればロック位置（α）にある可動部材２０及びロック部材１３ａがスプリングｓ（付勢手段）の付勢力にて非ロック位置（β）まで自動的に移動することとなり、ロック解除時の作業性を向上させることができる。
【００２７】
尚、可動部材２０に形成された被係止部２０ａの凹凸形状は、当該可動部材２０の摺動方向に亘って複数形成されているため、爪部１５ａの係止を任意部位にて行わせれば、可動部材２０を任意位置にて保持させることができる。従って、ロック部材１３ａのロック位置（α）及び非ロック位置（β）をパチンコ遊技機Ｐの形態に合わせて設定することができる。
【００２８】
また、装置本体２には、その前面２ａ上部に操作手段７（後で詳述する）、表示灯９及び噴出口１０が形成されている。表示灯９は、複数個のＬＥＤで形成され、ファン部材３の駆動状態（モータ４の駆動状態）やロック手段１３の作動状態を点灯表示し得るようになっている。噴出口１０は、静電霧化微粒子水発生装置１１（図２参照）で生じた帯電微粒子水を前方（遊技者側）に噴霧させるための開口である。当該静電霧化微粒子水発生装置１１は、背面２ｂに設けたノズル１１ａから水を供給することにより、この水を静電霧化作用で帯電微粒子水とするためのものであり、これにより、遊技者近傍の空気が清浄化されたり加湿されて、快適な遊技空間が得られるようになっている。
【００２９】
ファン部材３は、所謂クロスフローファンと称されるファンから成り、図２に示すように、装置本体２内で上下方向に延びた回転軸を中心に回転可能に配設されるとともに、側面に送風のための羽根が形成された略円筒状のものから成る。かかるファン部材３は、フレームにおいて回転自在に取り付けられており、当該フレームの上部にはモータ４が形成されている。
【００３０】
当該モータ４は、ファン部材３を回転軸を中心として回転駆動させるための駆動源である。而して、本実施形態においては、ファン部材３とモータ４とを同一フレームに組み付けて一体とすることにより送風ユニットＹを構成しており、当該送風ユニットＹが装置本体２内において上下方向に複数（本実施形態においては２つ）並設されている。尚、本実施形態においては、送風ユニットＹが上下に２つ配設されているが、上下方向に亘って１つ配設したもの、或いは３つ以上配設したものとしてもよい。即ち、装置本体２に形成された吸入口５及び吐出口６の形成位置や他の構成要素の配設関係に応じて送風ユニットＹを任意の位置で配設することができるのである。
【００３１】
吸入口５は、装置本体２の背面２ｂで開口し、ファン部材３の回転駆動により当該装置本体２内に空気を吸入し得るものである。尚、吸入口５の他、装置本体２の側面で開口し、ファン部材３の回転駆動により当該装置本体２内に空気を吸入し得る吸入口も形成されている。然るに、本実施形態においては、吸入口５は、装置本体２の背面２ｂ及び側面に形成されているが、前面２ａ以外の他の面（装置本体２の上面又は下面）に形成するようにしてもよい。尚、図２中符号１６は吸入口５を覆った活性炭フィルタを示しており、当該吸入口５から吸入される空気を濾過して浄化し得るようになっている。
【００３２】
吐出口６は、装置本体２の前面２ａ側で上下方向に延びてスリット状に開口し、ファン部材３の回転駆動により吸入口５から吸入した空気を吐出させることにより前方に向かって送風し得るものであり、かかる送風により隣接するパチンコ遊技機Ｐ間において所謂エアカーテンを形成することができる。即ち、本実施形態においては、吸入口５が装置本体２の背面２ｂ（及び側面）に形成されているため、吐出口６を装置本体２の前面２ａにおける広い範囲に亘って形成させることができ、エアカーテンの高さ方向（上下方向）の幅（空気の流れで形成される壁の高さ）を大きく設定することができるのである。
【００３３】
更に、装置本体２の前面２ａ上部には、ファン部材３の駆動をオン・オフ操作（即ち、モータ４のオン・オフ操作）するための又は当該ファン部材３の回転速度を任意に調整するための操作手段７が配設されている。具体的には、かかる操作手段７は、押圧操作及び回転操作が可能な操作摘みから成り、押圧操作によりファン部材３が回転駆動開始又は停止されるとともに、回転操作により可変抵抗器８（図２参照）を作用させてモータ４に送られる電流を変化させ、当該ファン部材３を任意の回転速度に調整し得るようになっている。
【００３４】
案内部材１２は、ファン部材３からの送風を吐出口６まで案内するもので、装置本体２の内部空間を左右に仕切る仕切板から成り、その表面でファン部材３からの送風を吐出口６まで導いて案内させるようになっている。即ち、ファン部材３の回転駆動により吸入口５から吸入した空気は、吐出口６に向かって流れる過程において、案内部材１２の表面で整流されつつ当該吐出口６に導かれて案内されるよう構成されているのである。
【００３５】
更に、上下の案内部材１２のうち上方に取り付けられた案内部材１２における裏面には、図２に示すように、所定の電気回路が形成された制御基板１４が取り付けられている。かかる制御基板１４は、装置本体２内に配設された種々電機部品（モータ４やソレノイド２３等）を制御するためのマイコン等を具備したプリント基板から成るもので、ネジ等の汎用的締結手段にて案内部材１２の裏面側に固定されている。
【００３６】
これにより、ファン部材３からの送風により、エアカーテンを形成することができるのに加え、制御基板１４の冷却を図ることができる。即ち、エアカーテンを形成するための送風を流用し、その送風にて制御基板１４におけるマイコン等が過熱してしまうのを抑制することができるのである。而して、制御基板１４の過熱を防止することができるとともに当該制御基板１４のための別個の冷却手段が不要とされる。尚、図２中符号１７は、制御基板１４から突出形成された冷却手段を示している。
【００３７】
上記実施形態によれば、ロック手段１３は、装置本体２の前後方向に亘って略直線状に形成された摺動レール１９と、該摺動レール１９に沿って摺動して前進又は後退可能とされた可動部材２０と、該可動部材２０の先端に形成され、当該可動部材２０が後退した状態でロック位置（α）とされるとともに前進した状態で非ロック位置（β）とされるロック部材１３ａとを備えたので、ロック部材１３ａをロック位置（α）と非ロック位置（β）との間で動作させる過程でパチンコ遊技機Ｐの前扉Ｐａと干渉してしまうのを確実に回避することができる。
【００３８】
更に、装置本体２内で上下方向に延びた回転軸を中心に回転可能に配設されるとともに側面に送風のための羽根が形成された略円筒状のファン部材３を有し、且つ、吸入口５が装置本体２の背面２ｂ（及び側面）で開口し、吐出口６が当該装置本体２の前面２ａ側で上下方向に延びて開口したので、高さ方向に十分幅広いエアカーテンを形成することができ、煙草の煙等の遮断効果を十分に発揮し得る。
【００３９】
また、ファン部材３とモータ４とを組み付けた送風ユニットＹを具備し、当該送風ユニットＹを装置本体２内において上下方向に複数並設させたので、高さ方向に十分幅広いエアカーテンを形成することができるとともに、装置本体２内のレイアウトの自由度を向上させることができる。即ち、送風ユニットＹを上下方向に複数並設させる構成とすることにより、吸入口５（側面の吸入口も同様）及び吐出口６の形成位置や他の構成要素の配設関係に応じて送風ユニットＹを任意の位置で配設することができ、レイアウトの自由度を向上させ得るのである。
【００４０】
更に、装置本体２には、ファン部材３の駆動をオン・オフ操作するための又は当該ファン部材３の回転速度を任意に調整するための操作手段７が形成されたので、遊技者や遊技店の従業員等が必要に応じてファン部材３を駆動させ或いは当該ファン部材３の回転速度を使用状況に応じて調整することができる。尚、本実施形態に係る操作手段７は、押圧操作及び回転操作が可能な操作摘みで構成されているが、他の形態の操作手段（例えば、ファン部材３の駆動をオン・オフ操作するための操作手段と、当該ファン部材３の回転速度を任意に調整するための操作手段とを別個に配設したもの）としてもよい。
【００４１】
以上、本実施形態について説明したが、本発明はこれに限定されるものではなく、例えばファン部材３及びモータ４を具備しないもの（その場合、吸入口５及び吐出口６も形成されない）としてもよく、更には操作手段７、表示灯９及び静電霧化微粒子水発生装置１１、収容部２２等を具備しないもの（即ち、専らパチンコ遊技機Ｐの前扉Ｐａをロックし得る台間装置等）としてもよく、更には他の機能が付加されたもの（例えば、プリペイドカード投入口等が形成された台間装置等）としてもよい。
【００４２】
更に、本実施形態においては、送風手段として所謂クロスフローファンと称されるファンが用いられているが、吐出口に向かって送風し得る他の形態のもの（例えばシロッコファン等）としてもよい。また、本実施形態においては、パチンコ遊技機Ｐが並設された島設備Ｓに適用されているが、スロットマシン等他の遊技機が並設された島設備に適用することができる。
【産業上の利用可能性】
【００４３】
ロック手段は、装置本体の前後方向に亘って略直線状に形成された摺動レールと、該摺動レールに沿って摺動して前進又は後退可能とされた可動部材と、該可動部材の先端に形成され、当該可動部材が後退した状態でロック位置とされるとともに前進した状態で非ロック位置とされるロック部材とを備えた島設備の台間装置であれば、外観形状が異なるもの或いは他の機能が付加されたもの等にも適用できる。
【符号の説明】
【００４４】
１  台間装置
２  装置本体
２ｃ  挿入口
３  ファン部材（送風手段）
４  モータ（送風手段）
５  吸入口
６  吐出口
７  操作手段
８  可変抵抗器
９  表示灯
１０  噴出口
１１  静電霧化微粒子水発生装置
１２  案内部材
１３  ロック手段
１３ａ  ロック部材
１４  制御基板
１５  係止部材
１６  活性炭フィルタ
１７  冷却手段
１８  カバー部材
１９  摺動レール
２０  可動部材
２１  転動部材
２２  収容部
２２ａ  係止手段
２３  ソレノイド（解除手段）
Ｓ  島設備
Ｐ  パチンコ遊技機
ｓ  スプリング（付勢手段）
α  ロック位置
β  非ロック位置
【図１】
2011092386.tif 000003
【図２】
2011092386.tif 000004
【図３】
2011092386.tif 000005
【図４】
2011092386.tif 000006
【図５】
2011092386.tif 000007
【図６】
2011092386.tif 000008
【図７】
2011092386.tif 000009
【図８】
2011092386.tif 000010
【図９】
2011092386.tif 000011
【図１０】
2011092386.tif 000012
【図１１】
2011092386.tif 000013